(57)【特許請求の範囲】
【請求項１】
複数の方式によって変調されたビデオ信号を無線で同時に送受信する映像信号送受信システムにおいて、変調方式、帯域幅、チャネル数および要求ＣＮ比を考慮してビデオ信号を分類し、該分類されたビデオ信号毎に送信電力に対して、各ビデオ信号の伝送チャネル数の、全伝送チャネル数に対する割合と、各ビデオ信号の所望のＣＮ比の、全信号の所望のＣＮ比の総和に対する割合との積に比例した重み付けを行うことを特徴とする映像信号送受信システム。
【請求項２】
請求項１記載の映像信号送受信システムにおいて、前記送信電力の重み付けはＩＦ信号電力の重み付けによって変更可能であることを特徴とする映像信号送受信システム。
【発明の詳細な説明】
【０００１】
【発明の属する技術分野】
本発明は、映像信号を送受信する映像信号送受信システムに関するものである。
【０００２】
【従来の技術】一般に、ビデオ信号を無線で送受信する場合には、図５に示すような構成であった。図５において、送信側は、映像ソース４１からのビデオ信号が変調器４２において変調され、アップコンバータ４３において周波数変換が施される。周波数変換された映像信号は出力増幅器４４において増幅されて送信アンテナ４５から送出される。
【０００３】
受信側は、受信アンテナ４６から受信した受信信号を低雑音増幅器４７で増幅し、ダウンコンバータ４８において周波数変換を施す。周波数変換した受信信号を復調器４９において復調し、映像モニタ５０に出力する。このような映像信号送受信システムは、例えば、特開平１０−１４５３４２号公報に開示されている。
【０００４】
【発明が解決しようとする課題】
しかし、上記した従来のビデオ信号送受信システムは、単一変調（ＦＭ変調）の信号を送受信するものであるため、回線設計も単一変調のみを考慮して行えば良かった。しかしながら、複数の異なる変調方式のビデオ信号を同時に送受信する場合には、送受信する各ビデオ信号の帯域、変調方式、所要ＣＮ（Ｃａｒｒｉｅｒ  ｔｏ  ｎｏｉｓｅ：搬送波対雑音）、伝送チャネル数等を考慮して、各ビデオ信号を独立に重み付けした後に送信しなければ、各ビデオ信号を同品質で受信できないという問題がある。特に、送信電力に上限がある場合には、送信信号における重み付けが受信品質を決定する。
【０００５】
本発明は、上記問題点を除去し、送信信号における重み付けを適切に施すことにより、各映像とも同品質で映像伝送を行い得る映像信号送受信システムを提供することを目的とする。
【０００６】
【課題を解決するための手段】
本発明は、上記目的を達成するために、
〔１〕複数の方式によって変調されたビデオ信号を無線で同時に送受信する映像信号送受信システムにおいて、変調方式、帯域幅、チャネル数および要求ＣＮ比を考慮してビデオ信号を分類し、この分類されたビデオ信号毎に送信電力に対して、各ビデオ信号の伝送チャネル数の、全伝送チャネル数に対する割合と、各ビデオ信号の所望のＣＮ比の、全信号の所望のＣＮ比の総和に対する割合との積に比例した重み付けを行うことを特徴とする。
【０００７】
〔２〕上記〔１〕記載の映像信号送受信システムにおいて、前記送信電力の重み付けはＩＦ信号電力の重み付けによって変更可能であることを特徴とする。
【０００８】
【発明の実施の形態】
以下、本発明の実施の形態について図を参照しながら詳細に説明する。
【０００９】
図１は本発明の実施例を示す映像送信装置のブロック図である。
【００１０】
この図に示すように、ＢＳ、ＣＳ、地上波アナログ、地上波ディジタル信号用の各アンテナ２２，２４，２５，２６は、コンバータ２１，２３等を介して送信ＩＦ（Ｉｎｔｅｒｍｅｄｉａｔｅｄ  Ｆｒｅｑｕｅｎｃｙ：中間周波）部１１に接続されている。
【００１１】
また、ケーブルＴＶ信号はケーブル２７を介して送信ＩＦ部１１に接続されている。送信ＩＦ部１１は電力信号制御部１２に接続されており、電力信号制御部１２は混合部１３と接続されている。混合部１３とローカル信号発生部１７はミキサ１４の入力ポートに接続されており、ミキサ１４の出力ポートはバンドパスフィルタ１５と接続されている。バンドパスフィルタ１５はアンプ１６を介して送信アンテナ１８に接続されている。
【００１２】
図２は図１に示した映像送信装置の送信ＩＦ部の構成図である。
【００１３】
この図に示すように、送信装置１０は、送信ＩＦ部１１において、各信号線（ＢＳ、ＣＳ、地上波アナログ、地上波ディジタル、ケーブルＴＶ）は、ミキサ１１−１〜１１−５においてローカル信号発生部１１−６〜１１−１０と接続されており、ミキサ１１−１〜１１−５の出力ポートは、バンドパスフィルタ１１−１１〜１１−１５の入力ポートに接続されている。
【００１４】
図３は本発明の実施例を示す映像受信装置のブロック図である。
【００１５】
この図に示すように、映像受信装置３０において、受信アンテナ３６は、低雑音アンプ３１と接続されており、低雑音アンプ３１とローカル信号発生部３４はミキサ３２を介して接続されている。ミキサ３２の出力ポートはバンドパスフィルタ３３を介して受信ＩＦ（中間周波）部３５と接続されており、受信ＩＦ部３５と映像モニタ３７とが接続されている。
【００１６】
図４は本発明の実施例を示す映像受信装置の受信ＩＦ部の構成図である。
【００１７】
この図に示すように、受信ＩＦ部３５においては、バンドパスフィルタ３３からの出力信号はミキサ３５−１〜３５−５においてローカル信号と混合されることによりＩＦ（中間周波）信号にダウンコンバートされる。なお、ミキサ３５−１〜３５−５に入力されるローカル信号は、ローカル信号発生器３５−６〜３５−１０により生成される。ミキサ３５−１〜３５−５からの出力信号はバンドパスフィルタ３５−１１〜３５−１５を通過して映像モニタ３７へ出力される。
【００１８】
以下、本発明の映像信号送受信システムの動作について説明する。
【００１９】
まず、送信装置の動作について図１及び図２を参照して説明する。
【００２０】
各アンテナ２２，２４，２５，２６から受信された映像信号（ＢＳ、ＣＳ、地上波アナログ、地上波ディジタル）はコンバータ２１，２３等を介した後、送信ＩＦ部１１のミキサ１１−１〜１１−５において混合されてＩＦ信号にアップコンバートされる。なお、ミキサ１１−１〜１１−５へ入力するローカル信号は、ローカル信号発生器１１−６〜１１−１０により生成される。アップコンバートされた各ＩＦ信号はバンドパスフィルタ１１−１１〜１１−１５において帯域制限された後、電力信号制御部１２に出力される。
【００２１】
各映像のＩＦ信号は、電力信号制御部１２においてそれぞれ独立に電力制御が施される。電力制御および配分は各映像信号の所望Ｃ／Ｎ、帯域幅等を考慮して行うが、詳細な説明は後述する。
【００２２】
電力制御された各映像のＩＦ信号は混合部１３において加え合わされ、ミキサ１４においてローカル信号発生部１７からのローカル信号と混合されてＲＦ信号へとアップコンバートされる。ＲＦ信号は、バンドパスフィルタ１５において帯域制限された後、アンプ１６で増幅されて送信アンテナ１８から出力される。
【００２３】
なお、送信ＩＦ部１１において、各映像信号に対してミキサ１１−１〜１１−５、ローカル信号発生部１１−６〜１１−１０およびバンドパスフィルタ１１−１１〜１１−１５を用意しているが、必ずしも全ての映像信号に用意しなくてもよい。
【００２４】
例えば、ＩＦ信号の帯域を１〜２ＧＨｚ帯とした場合には、コンバータから出力されるＢＳおよびＣＳ信号をそのままＩＦ信号として用いることが可能であるため、ＢＳ、ＣＳ信号用のミキサ１１−１、１１−２、ローカル信号発生部１１−６、１１−７およびバンドパスフィルタ１１−１１、１１−１２は不要となる。
【００２５】
次に、受信装置の動作について図３及び図４を用いて説明する。
【００２６】
受信アンテナ３６からの受信信号は、低雑音アンプ３１により増幅された後、ミキサ３２においてローカル信号と混合されＩＦ信号へダウンコンバートされる。なお、ローカル信号はローカル信号発生部３４により生成される。ミキサ３２から出力されたＩＦ信号はバンドパスフィルタ３３において帯域制限された後、受信ＩＦ部３５に入力する。受信ＩＦ部３５において、各ＩＦ信号はミキサ３５−１〜３５−５においてダウンコンバートされる。
【００２７】
なお、ミキサ３５−１〜３５−５へ入力しているローカル信号はローカル信号発生部３５−６〜３５−１０によって生成される。ミキサ３５−１〜３５−５からの出力信号はバンドパスフィルタ３５−１１〜３５−１５において帯域制限され、映像モニタ３７へ出力される。
【００２８】
次に、電力信号制御部の動作について詳細に説明する。
【００２９】
電力信号制御部１２において各映像信号はそれぞれ独立に電力制御が施され、この電力配分に比例してＲＦ信号が出力される。そこで、電力信号制御部１２においては、各映像信号の所要Ｃ／Ｎ、所要帯域幅、伝送チャネル数などを考慮して電力の配分を行う。
【００３０】
一例として、ＲＦの送信電力が制限されており、各映像とも同品質で映像伝送が可能な電力制御方法を考えてみる。全送信電力をＰ Ｔｘとし、ＢＳ、ＣＳ、地上波アナログ、地上波ディジタル、ケーブルＴＶ放送の所要ＣＮ比（リニア値）をそれぞれＣＮ Ｂ、ＣＮ Ｃ、ＣＮ ＴＡ、ＣＮ ＴＤ、ＣＮ ＣＡとする。また、ＢＳ、ＣＳ、地上波アナログ、地上波ディジタル、ケーブルＴＶ放送の伝送チャネル数をそれぞれＣＨ Ｂ、ＣＨ Ｃ、ＣＨ ＴＡ、ＣＨ ＴＤ、ＣＨＣＡとする。この時、各放送の送信電力に重み付けを行い、下記の式（１）〜（５）の値に規定すると、全放送の受信品質を揃えることが可能となる。
【００３１】
【数１】
0003549102.tif 000002
【００３２】
【数２】
0003549102.tif 000003
【００３３】
【数３】
0003549102.tif 000004
【００３４】
【数４】
0003549102.tif 000005
【００３５】
【数５】
0003549102.tif 000006
【００３６】
すなわち、これらの式（１）〜式（５）のような重み付けを電力信号制御部１２において作用させることにより、全放送の受信品質を一定に保つことが可能となる。上記式（１）〜式（５）で規定した重み付けは一例であり、人の視覚特性を考慮した重み付け等、電力制御の重み付けに関しては様々なものが考えられる。
【００３７】
上記伝送サービスは一例であり、一部の放送サービス（例えば、ＣＳ、ＢＳ放送だけ）を伝送する場合には、そのサービスの要所ＣＮ比および伝送チャネル数を考慮して、上記式（１）〜（５）の要領で算出すればよい。
【００３８】
このように、本発明によれば、伝送すべき各映像のＩＦ信号電力に対しそれぞれ独立に重み付けを行うことにより、ＲＦ信号の出力電力の制御を行っている。また、各映像信号の所要ＣＮ比、帯域幅、伝送チャネル等を考慮して電力制御を行うことにより、各映像とも同品質で映像伝送が可能となる。
【００３９】
さらに、本発明によれば、壁に設置されているアンテナジャックからテレビチューナまでのフィーダー線を無線化することが可能となる。
【００４０】
なお、本発明は上記実施例に限定されるものではなく、本発明の趣旨に基づいて種々の変形が可能であり、これらを本発明の範囲から排除するものではない。
【００４１】
【発明の効果】
以上、詳細に説明したように、本発明によれば、伝送すべき各映像のＩＦ信号電力に対しそれぞれ独立に重み付けを行うことにより、ＲＦ信号の出力電力の制御を行っている。また、各映像信号の所要ＣＮ比、帯域幅、伝送チャネル等を考慮して電力制御を行うことにより、各映像とも同品質で映像伝送を行うことが可能となる。
【図面の簡単な説明】
【図１】本発明の実施例を示す映像送信装置のブロック図である。
【図２】図１に示した映像送信装置の送信ＩＦ部の構成図である。
【図３】本発明の実施例を示す映像受信装置のブロック図である。
【図４】本発明の実施例を示す映像受信装置の受信ＩＦ部の構成図である。
【図５】従来の映像信号送受信システムの構成図である。
【符号の説明】
１０    送信装置
１１    送信ＩＦ部
１１−１〜１１−５，１４，３２，３５−１〜３５−５    ミキサ
１１−６〜１１−１０，１７，３４，３５−６〜３５−１０    ローカル信号発生部
１１−１１〜１１−１５，１５，３３，３５−１１〜３５−１５    バンドパスフィルタ
１２    電力信号制御部
１３    混合部
１６    アンプ
１８    送信アンテナ
２１，２３    コンバータ
２２，２４，２５，２６    アンテナ
２７    ケーブル
３０    映像受信装置
３１    低雑音アンプ
３５    受信ＩＦ部
３６    受信アンテナ
３７    映像モニタ
【図１】
0003549102.tif 000007
【図２】
0003549102.tif 000008
【図３】
0003549102.tif 000009
【図４】
0003549102.tif 000010
【図５】
0003549102.tif 000011